(57)【要約】【課題】箱形の荷台の側面に形成された荷物の搬入出開口部に扉を開閉自在に枢着する場合に、ヒンジが側面外方に突出することを防止でき、荷台全体の幅を縮めることを不要とし得、荷物の搬送効率向上を図り得るトラック用荷台の側面扉構造を提供する。【解決手段】箱形の荷台としての保冷庫３の側面に形成される荷物の搬入出開口部５に対しダブルヒンジ１１を用いて扉６を枢着するよう構成し、該ダブルヒンジ１１の連結ヒンジ部材１１ｅによって連結されるベースヒンジピン部１１ｂと可動ヒンジピン部１１ｄとを、該ベースヒンジピン部１１ｂと可動ヒンジピン部１１ｄとが扉６を閉じた状態で搬入出開口部５の周縁に埋め込まれるよう、配設する。【選択図】図２
2008149847.tif 000002
【特許請求の範囲】
【請求項１】
箱形の荷台の側面に形成された荷物の搬入出開口部に扉を開閉自在に枢着したトラック用荷台の側面扉構造において、
前記搬入出開口部側に固着されるベースヒンジプレートと、該ベースヒンジプレートの端部に形成されるベースヒンジピン部と、前記扉側に固着される可動ヒンジプレートと、該可動ヒンジプレートの端部に形成される可動ヒンジピン部と、前記ベースヒンジピン部に対し可動ヒンジピン部を該可動ヒンジピン部がベースヒンジピン部を中心として回動自在となるよう連結する連結ヒンジ部材とからなるダブルヒンジを備え、
該ダブルヒンジの連結ヒンジ部材によって連結されるベースヒンジピン部と可動ヒンジピン部とを、該ベースヒンジピン部と可動ヒンジピン部とが扉を閉じた状態で搬入出開口部の周縁に埋め込まれるよう、配設したことを特徴とするトラック用荷台の側面扉構造。
【請求項２】
荷台が保冷庫である請求項１記載のトラック用荷台の側面扉構造。
【発明の詳細な説明】
【技術分野】
【０００１】
本発明は、トラック用荷台の側面扉構造に関するものである。
【背景技術】
【０００２】
一般に、生鮮食品や冷凍食品等を運搬するための保冷車両は、図６に示される如く、トラック１におけるキャブ２後部に、保冷機能を有する箱型の荷台としての保冷庫３を搭載してなる構成を有している。
【０００３】
前記保冷庫３としては、後面の部分を観音開き式の扉４とする形式のものが多く採用されているが、近年においては、前記箱形の荷台としての保冷庫３の側面に荷物の搬入出開口部５を形成し、該搬入出開口部５に扉６を開閉自在に枢着し、前記保冷庫３の側面からも荷物の搬入出ができるようにすることにより、作業性を高めるようにしたものも開発されている。
【０００４】
前記保冷庫３の側面に設けられる扉６は、従来の場合、図７及び図８に示される如く、前記搬入出開口部５側に固着されるベースヒンジプレート７ａと、前記扉６側に固着される可動ヒンジプレート７ｂとをヒンジピン部７ｃを介して連結してなるヒンジ７によって、搬入出開口部５に対して開閉自在に取り付けられている。
【０００５】
ここで、仮に、図９に示される如く、一般的なヒンジ７を用い且つそのヒンジピン部７ｃを搬入出開口部５の周縁に埋め込む構造とすると、扉６を閉じた状態では何ら問題はないが、扉６を開いた場合、図９の仮想線で示される如く、扉６を途中までしか開くことができず、１８０°全開にすることが困難となるため、従来においては、扉６を閉じた状態から１８０°回動させて全開可能とするには、図８に示される如く、ヒンジ７のヒンジピン部７ｃを保冷庫３の側面外方に突出させざるを得なかった。
【０００６】
又、前記扉６には、図７及び図１０に示される如く、開閉レバー８の操作でリンクバー９を回転させることにより扉６のロックとロック解除とを切り換え可能なロック機構１０が設けられており、運転中等に扉６が開いてしまうことを防止するようになっている。
【０００７】
尚、トラック用荷台構造の一般的技術水準を示すものとしては、例えば、特許文献１がある。
【特許文献１】特開２００５−２５５０７７号公報
【発明の開示】
【発明が解決しようとする課題】
【０００８】
ところで、車両の法規上、トラック用荷台の全幅は２５００［ｍｍ］以内に規制されているため、図８に示される従来例の如く、ヒンジ７のヒンジピン部７ｃが保冷庫３の側面外方に突出すると、その分だけ保冷庫３全体の幅を縮める必要が生じ、該保冷庫３の容積が小さくなって荷物の搬送効率の低下につながるという欠点を有していた。
【０００９】
尚、前記保冷庫３全体の幅を縮めた場合に、該保冷庫３の壁の厚さや扉６の厚さを薄くすれば、保冷庫３内部の容積を確保することは可能ではあるが、この場合、前記保冷庫３の壁の厚さや扉６の厚さを薄くした分だけ、保冷効率が低下することとなり、好ましい対策であるとは言えなかった。
【００１０】
本発明は、斯かる実情に鑑み、箱形の荷台の側面に形成された荷物の搬入出開口部に扉を開閉自在に枢着する場合に、ヒンジが側面外方に突出することを防止でき、荷台全体の幅を縮めることを不要とし得、荷物の搬送効率向上を図り得るトラック用荷台の側面扉構造を提供しようとするものである。
【課題を解決するための手段】
【００１１】
本発明は、箱形の荷台の側面に形成された荷物の搬入出開口部に扉を開閉自在に枢着したトラック用荷台の側面扉構造において、
前記搬入出開口部側に固着されるベースヒンジプレートと、該ベースヒンジプレートの端部に形成されるベースヒンジピン部と、前記扉側に固着される可動ヒンジプレートと、該可動ヒンジプレートの端部に形成される可動ヒンジピン部と、前記ベースヒンジピン部に対し可動ヒンジピン部を該可動ヒンジピン部がベースヒンジピン部を中心として回動自在となるよう連結する連結ヒンジ部材とからなるダブルヒンジを備え、
該ダブルヒンジの連結ヒンジ部材によって連結されるベースヒンジピン部と可動ヒンジピン部とを、該ベースヒンジピン部と可動ヒンジピン部とが扉を閉じた状態で搬入出開口部の周縁に埋め込まれるよう、配設したことを特徴とするトラック用荷台の側面扉構造にかかるものである。
【００１２】
上記手段によれば、以下のような作用が得られる。
【００１３】
前述の如くダブルヒンジを用いて搬入出開口部に対し扉を枢着するよう構成すると、ベースヒンジピン部と可動ヒンジピン部とは、扉を閉じた状態で搬入出開口部の周縁に埋め込まれているが、扉を開く際には、ベースヒンジピン部を支点として可動ヒンジピン部が搬入出開口部の周縁から外方へ張り出す方向に回動しつつ、可動ヒンジピン部を中心として扉が回動する形となり、従来例の如く、ヒンジのヒンジピン部を箱形の荷台の側面外方に突出させなくても、扉を閉じた状態から１８０°回動させて全開させることが可能となるため、荷台全体の幅を縮めなくても、トラック用荷台の全幅に関する車両の法規を遵守することが可能となり、該荷台の容積が小さくならず荷物の搬送効率が低下する心配がなくなる。
【００１４】
前記トラック用荷台の側面扉構造においては、荷台が保冷庫であるようにすることができ、このようにすると、保冷庫の容積を確保するために、該保冷庫の壁の厚さや扉の厚さを薄くしなくて済み、保冷効率が低下せず、保冷庫に保管された生鮮食品や冷凍食品等の荷物の鮮度を確実に保持する上できわめて有効となる。
【発明の効果】
【００１５】
本発明の請求項１記載のトラック用荷台の側面扉構造によれば、箱形の荷台の側面に形成された荷物の搬入出開口部に扉を開閉自在に枢着する場合に、ヒンジが側面外方に突出することを防止でき、荷台全体の幅を縮めることを不要とし得、荷物の搬送効率向上を図り得るという優れた効果を奏し得る。
【００１６】
又、本発明の請求項２記載のトラック用荷台の側面扉構造によれば、上記効果に加え更に、荷台を保冷庫にすることにより、保冷庫の容積を確保するために、該保冷庫の壁の厚さや扉の厚さを薄くすることを不要とし得、保冷効率を低下させずに保冷庫に保管された生鮮食品や冷凍食品等の荷物の鮮度を確実に保持し得るという優れた効果を奏し得る。
【発明を実施するための最良の形態】
【００１７】
以下、本発明の実施の形態を添付図面を参照して説明する。
【００１８】
図１〜図５は本発明を実施する形態の一例であって、図中、図６〜図１０と同一の符号を付した部分は同一物を表わしており、基本的な構成は図６〜図１０に示す従来のものと同様であるが、本図示例の特徴とするところは、図１〜図５に示す如く、箱形の荷台としての保冷庫３の側面に形成される荷物の搬入出開口部５に対しダブルヒンジ１１を用いて扉６を枢着するよう構成した点にある。
【００１９】
本図示例の場合、前記ダブルヒンジ１１は、搬入出開口部５側に固着されるベースヒンジプレート１１ａと、該ベースヒンジプレート１１ａの端部に形成されるベースヒンジピン部１１ｂと、前記扉６側に固着される可動ヒンジプレート１１ｃと、該可動ヒンジプレート１１ｃの端部に形成される可動ヒンジピン部１１ｄと、前記ベースヒンジピン部１１ｂに対し可動ヒンジピン部１１ｄを該可動ヒンジピン部１１ｄがベースヒンジピン部１１ｂを中心として回動自在となるよう連結する連結ヒンジ部材１１ｅとを備えてなる構成を有している。
【００２０】
そして、前記ダブルヒンジ１１の連結ヒンジ部材１１ｅによって連結されるベースヒンジピン部１１ｂと可動ヒンジピン部１１ｄとを、該ベースヒンジピン部１１ｂと可動ヒンジピン部１１ｄとが扉６を閉じた状態で搬入出開口部５の周縁に埋め込まれるよう、配設してある。
【００２１】
又、前記扉６に設けられるロック機構１０は、図１、図２及び図５に示す如く、従来と同様に、開閉レバー８の操作でリンクバー９を回転させることにより扉６のロックとロック解除とを切り換え可能なものであって、運転中等に扉６が開いてしまうことを防止するようになっているが、扉６の内側に埋め込んで外方へ突出しないようにしてある。尚、前記扉６の内側に埋め込んで外方へ突出しないようにしたロック機構１０については、後部扉等に採用されている公知のものを用いることができる。
【００２２】
次に、上記図示例の作用を説明する。
【００２３】
前述の如くダブルヒンジ１１を用いて搬入出開口部５に対し扉６を枢着するよう構成すると、ベースヒンジピン部１１ｂと可動ヒンジピン部１１ｄとは、図２及び図４の実線で示す如く、扉６を閉じた状態で搬入出開口部５の周縁に埋め込まれているが、扉６を開く際には、ベースヒンジピン部１１ｂを支点として可動ヒンジピン部１１ｄが搬入出開口部５の周縁から外方へ張り出す方向に回動しつつ、可動ヒンジピン部１１ｄを中心として扉６が回動する形となる。
【００２４】
この結果、図８に示される従来例の如く、ヒンジ７のヒンジピン部７ｃを保冷庫３の側面外方に突出させなくても、扉６を閉じた状態から図４の仮想線で示す如く１８０°回動させて全開させることが可能となるため、保冷庫３全体の幅を縮めなくても、トラック用荷台の全幅に関する車両の法規を遵守することが可能となり、該保冷庫３の容積が小さくならず荷物の搬送効率が低下する心配がなくなる。
【００２５】
しかも、箱形の荷台としての保冷庫３の容積を確保するために、該保冷庫３の壁の厚さや扉６の厚さを薄くしなくて済み、保冷効率が低下せず、保冷庫３に保管された生鮮食品や冷凍食品等の荷物の鮮度を確実に保持する上できわめて有効となる。
【００２６】
こうして、箱形の荷台としての保冷庫３の側面に形成された荷物の搬入出開口部５に扉６を開閉自在に枢着する場合に、ヒンジが側面外方に突出することを防止でき、前記保冷庫３全体の幅を縮めることを不要とし得、荷物の搬送効率向上を図り得ると共に、前記保冷庫３の容積を確保するために、該保冷庫３の壁の厚さや扉６の厚さを薄くすることを不要とし得、保冷効率を低下させずに保冷庫３に保管された生鮮食品や冷凍食品等の荷物の鮮度を確実に保持し得る。
【００２７】
尚、本発明のトラック用荷台の側面扉構造は、上述の図示例にのみ限定されるものではなく、荷台が保冷庫となっていないものにも適用可能なこと等、その他、本発明の要旨を逸脱しない範囲内において種々変更を加え得ることは勿論である。
【図面の簡単な説明】
【００２８】
【図１】本発明を実施する形態の一例における側面扉を示す全体図である。
【図２】図１のＩＩ−ＩＩ断面図である。
【図３】本発明を実施する形態の一例におけるダブルヒンジを示す図であって、図１のＩＩＩ部拡大図である。
【図４】本発明を実施する形態の一例におけるダブルヒンジを用いた場合の扉を閉じた状態と、扉を開いた状態を示す概略図である。
【図５】本発明を実施する形態の一例における開閉レバーを示す図であって、図１のＶ−Ｖ断面相当図である。
【図６】一般的な保冷車両を示す斜視図である。
【図７】従来例における側面扉を示す全体図である。
【図８】図７のＶＩＩＩ−ＶＩＩＩ断面図である。
【図９】従来例における一般的なヒンジを用い且つそのヒンジピン部を搬入出開口部の周縁に埋め込んだと仮定した場合の扉を閉じた状態と、扉を開いた状態を示す概略図である。
【図１０】従来例における扉のロック機構を示す図であって、図７のＸ−Ｘ断面相当図である。
【符号の説明】
【００２９】
１    トラック
２    キャブ
３    保冷庫
５    搬入出開口部
６    扉
１１    ダブルヒンジ
１１ａ  ベースヒンジプレート
１１ｂ  ベースヒンジピン部
１１ｃ  可動ヒンジプレート
１１ｄ  可動ヒンジピン部
１１ｅ  連結ヒンジ部材
【図１】
2008149847.tif 000003
【図２】
2008149847.tif 000004
【図３】
2008149847.tif 000005
【図４】
2008149847.tif 000006
【図５】
2008149847.tif 000007
【図６】
2008149847.tif 000008
【図７】
2008149847.tif 000009
【図８】
2008149847.tif 000010
【図９】
2008149847.tif 000011
【図１０】
2008149847.tif 000012